(57)【要約】【課題】入力される信号レベルの強弱を利用することで、送信機から受信機までの距離をユーザが聴覚で直感的に把握できるように音声信号を出力する構成を簡素に実現した無線通信機を提供する。【解決手段】無線通信機は、受信した信号を増幅する中間周波増幅器５９と、中間周波増幅器５９によって増幅された信号を復調して出力する検波器６０と、積分器６１と、を備える。そして、ＡＧＣ回路７０は、前記積分器６１によって、復調した信号の出力レベルが基準値以上であるときは、中間周波増幅器５９によって増幅される前の信号レベルに応じて中間周波増幅器５９の増幅度を変更する自動利得制御を行う。この自動利得制御が行われることで、検波器６０から出力される出力信号の出力レベルは、受信した信号レベルが大きいときはそれに応じて大きくなり、信号レベルが小さいときはそれに応じて小さくなり、これにより通信の遠近感が擬似的に表現されている。【選択図】図３
2010178218.tif 000002
【特許請求の範囲】
【請求項１】
受信部にＡＧＣ回路を備える無線通信機において、
受信した信号を増幅する利得増幅器と、
前記利得増幅器によって増幅された信号を復調して出力する検波器と、
前記利得増幅器によって増幅される前の入力信号が入力されるとともに、前記検波器から出力された出力信号が入力されるローパスフィルタと、
を備え、
前記ＡＧＣ回路が、復調した信号の出力レベルが基準値以上であるときは、前記利得増幅器によって増幅される前の信号レベルに応じて前記利得増幅器の増幅度を変更する自動利得制御を行うことで、信号レベルに応じた大きさの出力信号が前記検波器から出力され、これにより通信の遠近感を擬似的に表現することを特徴とする無線通信機。
【請求項２】
請求項１に記載の無線通信機であって、
前記ローパスフィルタは、前記利得増幅器によって増幅される前の前記入力信号と、前記検波器から出力された前記出力信号と、に基づいて増幅度を変更する制御信号を前記利得増幅器に送信することを特徴とする無線通信機。
【請求項３】
請求項１又は２に記載の無線通信機であって、
前記ＡＧＣ回路は、ＤＳＰ回路として構成されていることを特徴とする無線通信機。
【請求項４】
請求項１又は２に記載の無線通信機であって、
当該無線通信機が使用されている環境の変化を検出し、前記ローパスフィルタにその検出信号を送信可能に構成される環境検出部を備え、
前記ローパスフィルタは、前記環境検出部の検出信号に応じた制御信号を前記利得増幅器に送信することを特徴とする無線通信機。
【請求項５】
請求項１又は２に記載の無線通信機であって、
当該無線通信機が使用されている環境の変化を検出する環境検出部を備え、
前記出力レベルが基準値以上であるときは、前記ＡＧＣ回路は、前記信号レベルと前記出力レベルが単調増加関数の関係を有するように前記利得増幅器を制御し、
前記単調増加関数は、予め記憶された複数の関数の中から前記環境検出部の検出信号に基づいて選択されることを特徴とする無線通信機。
【請求項６】
請求項５に記載の無線通信機であって、
予め記憶された複数の前記関数のうち少なくとも１つは１次関数であることを特徴とする無線通信機。
【請求項７】
請求項１から６までの何れか一項に記載の無線通信機としてのＤＳＢ送受信機。
【発明の詳細な説明】
【技術分野】
【０００１】
本発明は、搬送波を受信して音声信号を復調する無線通信機に関する。
【背景技術】
【０００２】
ＡＭ波を用いて音声通信を行うＡＭ受信機（無線通信機やラジオ受信機）等において、受信した信号レベルの強弱によって出力レベルが変動しないようにするための自動利得制御（Ａｕｔｏｍａｔｉｃ  ｇａｉｎ  ｃｏｎｔｒｏｌ、ＡＧＣ）回路を備える構成が従来から知られている。信号レベルは送信機から受信機までの距離や伝播経路等の要因によって変動するが、ＡＧＣ回路によって出力レベルを一定にすることで、信号レベルの強弱を原因とする音量の変動を抑制することができる。この種のＡＧＣ回路を用いた受信機を開示するものとして、例えば特許文献１がある。
【先行技術文献】
【特許文献】
【０００３】
【特許文献１】特開昭５８−１７０１４３号公報
【発明の概要】
【発明が解決しようとする課題】
【０００４】
ところで、送信機と受信機が互いに移動しながら通信を行うような場合において、受信側のユーザが送信側とのおおよその距離を知りたいことがある。このニーズに応えるために、例えば海上を移動する船舶間に用いられる無線通信機等には、信号の受信強度を示す表示器が備えられている。信号は距離によって減衰する特性を有しているので、受信側のユーザは、この表示器が示す信号レベルが強い場合には送信側の船舶が近い位置にいると判断し、信号レベルが弱い場合には送信側の船舶が遠い位置にいると判断することができる。
【０００５】
しかし、ユーザは無線通信機の前で常時待機している訳ではなく、無線通信機の動作中に当該無線通信機から離れていることも考えられる。この場合は表示器の値を確認することができないため、距離を把握することができなかった。特に船舶等では、無線通信機に音声を出力させながら当該無線通信機から離れた位置で別の作業をすることも多いため、作業中に表示器を確認することは困難であった。
【０００６】
なお、前記特許文献１は、ＡＭステレオ受信機において、フラットでないＡＧＣ特性を持たせることがしばしば有効である旨を指摘している。しかしながら、この特許文献１の指摘は、非フラットなＡＧＣ特性によって帯域の中心を感知し易くなり、受信機の同調を容易にできる旨を述べるにとどまり、他の具体的な利用目的を開示するものではない。
【０００７】
本発明は以上の事情に鑑みてなされたものであり、その目的は、入力される信号レベルの強弱を利用することで、送信機から受信機までの距離をユーザが聴覚により直感的に把握できるように音声信号を出力する構成を安価に実現した無線通信機を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、受信部にＡＧＣ回路を備える無線通信機において、以下の構成が提供される。即ち、無線通信機は、利得増幅器と、検波器と、ローパスフィルタと、を備える。前記利得増幅器は、受信した信号を増幅する。前記検波器は、前記利得増幅器によって増幅された信号を復調して出力する。前記ローパスフィルタは、前記利得増幅器によって増幅される前の入力信号が入力されるとともに、前記検波器から出力された出力信号が入力される。そして、前記ＡＧＣ回路は、復調した信号の出力レベルが基準値以上であるときは、前記利得増幅器によって増幅される前の信号レベルに応じて前記利得増幅器の増幅度を変更する自動利得制御を行う。この自動利得制御が行われることで、信号レベルに応じた大きさの出力信号が前記検波器から出力され、これにより通信の遠近感を擬似的に表現する。
【００１０】
これにより、出力レベルが過剰に大きくなることを抑制しつつ、出力レベルが基準値以上のときでも、送信機から受信機までの距離に応じて減衰する信号レベルの強弱に応じた出力信号を得ることができる。従って、送信機から受信機までの距離が長い場合には出力される音量を小さくし、逆に距離が短い場合には音量を大きくすることで、ユーザは送信機から受信機までのおおよその距離を聴覚により直感的に把握できる。また、信号レベルが距離によって減衰する特性を利用しているので、送信機側に特別な構成を付加する必要もなく、ＡＧＣ回路だけの簡素な構成で音声通信における遠近感を表現できる。更に、送信機から受信機までの距離が変化することによって生じる信号レベルの変化をローパスフィルタによって精度良く取り出すことができるので、現実の送信機から受信機までの距離を音量に反映することができる。
【００１１】
前記の無線通信機においては、以下のように構成されることが好ましい。前記ローパスフィルタは、前記利得増幅器によって増幅される前の前記入力信号と、前記検波器から出力された前記出力信号と、に基づいて増幅度を変更する制御信号を前記利得増幅器に送信することが好ましい。
【００１２】
これにより、ローパスフィルタによって生成される制御信号によって利得増幅器が制御されることになり、基準値以上であっても、入力信号に応じて出力信号のレベルが変化するＡＧＣ回路の簡素な構成を実現できる。
【００１３】
前記の無線通信機においては、前記ＡＧＣ回路はＤＳＰ回路として構成されていることが好ましい。
【００１４】
これにより、受信した信号レベルに応じたレベルの信号を出力する処理を、デジタル信号処理によって簡素かつ容易に実現することができる。
【００１５】
前記の無線通信機においては、以下のように構成されることが好ましい。即ち、無線通信機は、当該無線通信機が使用されている環境の変化を検出し、前記ローパスフィルタにその検出信号を送信可能に構成される環境検出部を備える。前記ローパスフィルタは、前記環境検出部の検出信号に応じた制御信号を前記利得増幅器に送信する。
【００１６】
これにより、環境検出部の検出信号に応じて出力レベルの大きさが制御されるので、出力される音声が無線通信機が使用される環境に応じた音量で出力されることになる。
【００１７】
前記の無線通信機においては、以下のように構成されることが好ましい。即ち、無線通信機は、当該無線通信機が使用されている環境の変化を検出する環境検出部を備える。前記出力レベルが基準値以上であるときは、前記ＡＧＣ回路は、前記信号レベルと前記出力レベルが単調増加関数の関係を有するように前記利得増幅器を制御する。前記単調増加関数は、予め記憶された複数の関数の中から前記環境検出部の検出信号に基づいて選択される。
【００１８】
これにより、環境検出部からの検出信号に応じて選択された関数によって利得増幅器の増幅度が設定されるので、無線通信機が使用される環境に応じて好適な音声を自動的に出力することができる。
【００１９】
前記の無線通信機においては、予め記憶された複数の前記関数のうち少なくとも１つは１次関数であることが好ましい。
【００２０】
これにより、１次関数が単調増加関数として選択された場合、信号レベルの大きさに応じて出力音声が１次関数に従って徐々に変化するので、距離に応じた遠近感を違和感なく再現できる。
【００２１】
本発明の第２の観点によれば、前記の無線通信機としてのＤＳＢ送受信機が提供される。
【図面の簡単な説明】
【００２２】
【図１】本発明の一実施形態に係るＤＳＢ送受信機の全体的な構成を示した斜視図。
【図２】ＤＳＢ送受信機の機能ブロック図。
【図３】受信部の詳細な構成を示すブロック図。
【図４】信号の入力レベルと出力レベルの関係を概念的に示すグラフ。
【図５】変形例のＡＧＣ回路の構成を概略的に示したブロック図。
【図６】別の変形例に係るＡＧＣ回路の構成を概略的に示したブロック図及び信号の入力レベルと出力レベルの関係を概念的に示すグラフ。
【発明を実施するための形態】
【００２３】
次に、発明の実施の形態を説明する。図１は、本発明の一実施形態に係るＤＳＢ送受信機１の全体的な構成を示した斜視図である。図２は、ＤＳＢ送受信機１の機能ブロック図である。
【００２４】
図１に示す本実施形態のＤＳＢ送受信機（無線通信機）１は、両側波帯（Ｄｏｕｂｌｅ  Ｓｉｄｅ  Ｂａｎｄ、ＤＳＢ）と呼ばれる振幅変調波を用いて、音声を送受信することができる。このＤＳＢ送受信機１は、例えば漁船が船団を組んで操業する場合に、仲間船と相互に連絡をとり合うために用いることができる。
【００２５】
ＤＳＢ送受信機１は、図２に示すように、マイク１４及びアンテナ１７を接続可能な送受信機本体１０を備えている。送受信機本体１０には、無線通信で音声をやり取りするための送信部２０及び受信部２１と、音声信号を出力するためのスピーカ１６と、が内蔵されている。また、送受信機本体１０には、送信部２０及び受信部２１等を制御するためのマイクロコンピュータからなる制御部１９が備えられている。
【００２６】
また、送受信機本体１０は、内蔵のスピーカ１６と別のスピーカ（外部スピーカ２６）を接続可能な外部スピーカ端子２５を備えている。この外部スピーカ端子２５に十分な長さのスピーカ線を接続することで、例えばＤＳＢ送受信機１が設置されている部屋とは別の部屋に外部スピーカ２６を設置した場合でも、当該外部スピーカ２６に音声を適切に出力することができる。
【００２７】
図１に示すように、前記マイク１４は、送信と受信とを切り替えるための切替スイッチ１５を備えている。この切替スイッチ１５は、押されることで送信側に切り替わるという意味のＰｕｓｈ  Ｔｏ  Ｔａｌｋの頭文字をとって、ＰＴＴスイッチと呼ばれることがある。
【００２８】
切替スイッチ１５は、図２に示す送受信切替部２３に電気的に接続されている。前記アンテナ１７としては適宜のものを用いることができ、例えば公知のホイップアンテナとすることができる。
【００２９】
図１に示すように、当該送受信機本体１０の正面側には平面状のパネルが備えられている。そして、このパネルには表示部１１と操作部１２とが配置されている。表示部１１及び操作部１２は、図２に示す制御部１９に電気的に接続されている。
【００３０】
前記表示部１１は例えば液晶ディスプレイとして構成されており、ＤＳＢ送受信機１の稼動状況等に関する情報を確認のために表示できるようになっている。この情報としては様々であるが、例えば、現時点で通信に使用しているチャンネル、電波の受信レベル等である。また、表示部１１は送受信機本体１０に関する各種設定項目や各種操作項目等をメニューで表示可能に構成されており、後述の操作部１２を使用することで当該メニューに関する操作を行うことができる。
【００３１】
操作部１２は、操作ボタン、回転ダイアル等の各種の操作具を備えている。ユーザは、適宜の操作を行うことによって、受信部２１の感度の切替え等の所望の指示をＤＳＢ送受信機１（制御部１９）に与えることができる。
【００３２】
送信部２０は、マイク１４から入力される音声信号に基づいて高周波信号を変調させ、増幅してアンテナ１７に出力することにより、所定のチャンネル（周波数）で音声信号を送り出すことができる。受信部２１は、アンテナ１７から入力される信号に対して、増幅、復調等の処理を行い、所定のチャンネル（周波数）で送信された音声信号を取り出してスピーカ１６（及び外部スピーカ２６）に出力することができる。以上により、いわゆるＡ３Ｅ形式の電波による音声信号のやり取りが実現されている。
【００３３】
次に、ＤＳＢ送受信機１が備える受信部２１の詳細な構成について説明する。図３は、受信部２１の構成を示すブロック図である。
【００３４】
図３に示すように、本実施形態の受信部２１は、いわゆるダブルスーパーへテロダイン方式を採用しており、以下のように構成されている。即ち、受信部２１は、高周波増幅器５５と、アナログデジタル変換器（Ａ／Ｄ変換器）５６と、第１周波数混合器５７と、第１局部発振器６７と、第２周波数混合器５８と、第２局部発振器６８と、中間周波増幅器５９と、検波器（復調器）６０と、積分器６１と、デジタルアナログ変換器（Ｄ／Ａ変換器）６２と、低周波増幅器６３と、を備えている。以下、受信部２１の各部の構成について説明する。
【００３５】
高周波増幅器５５は、アンテナ１７が受信した受信信号を低雑音増幅して感度を向上させるとともに、イメージ周波数選択度を改善するものである。この高周波増幅器５５によって増幅された受信信号は、Ａ／Ｄ変換器５６によってアナログ信号からデジタル信号に変換されて第１周波数混合器５７に送信される。
【００３６】
第１局部発振器６７及び第２局部発振器６８は、中間周波を作るための搬送波発振器であり、発振周波数の局部信号を生成するためのものである。第１局部発振器６７は第１周波数混合器５７に接続されており、第２局部発振器６８は第２周波数混合器５８に接続されている。第１周波数混合器５７は第１局部発振器６７によって生成された局部信号と受信周波とを混合して高い中間周波を作る。第２周波数混合器５８は第２局部発振器６８によって生成された局部信号と受信周波とを混合して低い中間周波を作る。このように２段階に分けて中間周波を作ることで、第１周波数混合器５７で生成する中間周波を高くすることができ、イメージ周波数の妨害を少なくしている。また、第２周波数混合器５８で中間周波を低く作ることで、近接周波数選択度の低下を防止している。そして、第２周波数混合器５８で作られた低い中間周波は中間周波増幅器５９に送られる。
【００３７】
中間周波増幅器５９は、第２周波数混合器５８によって作られた中間周波の利得を増幅するものである。この中間周波増幅器５９は、積分器６１からの信号を受信可能に構成されており、この積分器６１からの制御信号に基づいて増幅度が変化するように構成されている。
【００３８】
検波器６０は、被変調波から元の信号波を取り出す復調器であり、中間周波増幅器５９で増幅された信号から音声信号を復調して出力するためのものである。この検波器６０から取り出された音声信号は、Ｄ／Ａ変換器６２に送信される。また、検波器６０から出力された出力信号は、積分器６１にも入力される。
【００３９】
ローパスフィルタとしての積分器６１は、中間周波増幅器５９の増幅度を制御するためのものであり、前述した検波器６０から送信された信号が入力されるとともに、中間周波増幅器５９で増幅される前の信号が入力されている。本実施形態の積分器６１は、この増幅される前の信号と、検波器６０から取り出された出力信号に基づいて、利得制御信号を生成し、前記中間周波増幅器５９に送信できるように構成されている。
【００４０】
低周波増幅器６３は、Ｄ／Ａ変換器６２から送信されてきた音声信号を電圧増幅及び電力増幅するためのものである。この低周波増幅器６３によって、音声信号は十分な電力に増幅されてスピーカ１６に供給される。音声信号によってスピーカ１６が駆動され、送信機で変調された音声が再現される。このスピーカ１６から出力される音量は、検波器６０に入力される信号レベルの大きさに応じて変化する。即ち、中間周波増幅器５９の増幅度によって、スピーカ１６によって出力される音量が決定されることにもなるのである。なお、本実施形態のＤＳＢ送受信機１には外部スピーカ２６も接続されており、この外部スピーカ２６も内蔵のスピーカ１６と同様に駆動されることになる。
【００４１】
また、本実施形態では、第１周波数混合器５７と、第１局部発振器６７と、第２周波数混合器５８と、第２局部発振器６８と、中間周波増幅器５９と、検波器（復調器）６０と、積分器６１と、がデジタル信号処理装置（Ｄｉｇｉｔａｌ  Ｓｉｇｎａｌ  Ｐｒｏｃｅｓｓｏｒ、ＤＳＰ）９０によって構成されている。このＤＳＰ回路９０は、例えば送信部２０においてデジタル信号処理のために従来から用いられているものと兼用することができる。これによって、ハードウェアの部品点数を削減することができ、製造コストを低減することもできる。
【００４２】
次に、ＡＧＣ回路７０による処理について説明する。本実施形態のＡＧＣ回路７０は、中間周波増幅器５９と、検波器６０と、積分器６１と、を主要な構成として有している。
【００４３】
ＡＧＣ回路７０は、出力レベルが基準値以上（受信電界強度が所定値以上）であることを検出すると、信号の増幅度を制限して出力レベルが適切な範囲に入るようにフィードバック制御するものである。図３に示すように、積分器６１には検波器６０からの出力信号が入力されており、この出力信号のレベルが基準値以上になると、自動利得制御が開始される。出力レベルが基準値未満であるときは、ＡＧＣ回路７０による自動利得制御は行われず、中間周波増幅器５９は一定の増幅度で中間周波の利得を増幅している。
【００４４】
従来のＡＧＣ回路では、スピーカの音割れ等を防止するため、出力レベルが基準値以上になると、出力レベルが一定になるように中間周波増幅器５９の増幅度を下げる制御を行っていた。一方、本実施形態のＡＧＣ回路７０は、信号レベルの大きさを加味して中間周波増幅器５９の増幅度を下げる制御を行っている。より具体的には、積分器６１は、入力される信号レベルが大きくなればなるほど増幅度の下げ幅を小さくし、信号レベルが小さくなればなるほど増幅度の下げ幅を大きくするように利得制御信号を生成し中間周波増幅器５９に送信することで、出力レベルの大きさを制御している。この制御によって、出力レベルが大き過ぎてスピーカ１６が音割れするような事態を防止しつつ、出力レベルが基準値以上のときも、入力される信号レベルの大きさが一定程度反映された音声が出力されることになる。このような入力レベルと出力レベルの関係は、図４のグラフに概念的に示されている。ただし、図４のグラフにおいて、縦軸及び横軸の何れも単位はｄＢｍである。このグラフでは、出力レベルが、信号レベルが大きくなるに応じて一定の割合で直線的に増加しており、入力レベルと出力レベルに１次関数の関係が成立している。
【００４５】
送信機から送信された信号（搬送波）は、送信機と受信機との距離が長ければ長いほど減衰する。上述したように、信号レベルに応じて中間周波増幅器５９の増幅度が変化するので、検波器６０から取り出された信号の出力レベルが距離に応じて変化することになる。この結果、スピーカ１６から出力される音声は、送信機と受信機との距離が近いときは大きく聞こえ、遠いときは小さく聞こえるようになり、ユーザは受信機から送信機までのおおよその距離を聴覚的に判断することができる。また、音量によって距離が表現されているので、ＤＳＢ送受信機１から離れている場合でも、感覚的に送信機と受信機との位置関係を把握することができる。
【００４６】
また、本実施形態では、ローパスフィルタとしての積分器６１によって緩やかな信号レベルの変化を検出できるようになっている。従って、送信機側又は受信機側が移動することによって距離が変化した場合でも、その変化によって生じる緩やかな信号レベルの変化を検出して、中間周波増幅器５９の増幅度に反映させることが可能となっている。例えば、送信機側の船舶が受信機側の船舶に徐々に近づいているような場合は音声が次第に大きくなり、逆に船舶が徐々に遠ざかっているような場合は音声が次第に小さくなるように、時間とともに変化する現実の距離を音量に反映させることができる。
【００４７】
以上に示したように、本実施形態のＤＳＢ送受信機１は以下のように構成される。即ち、ＤＳＢ送受信機１は、中間周波増幅器５９と、検波器６０と、積分器６１と、を備える。中間周波増幅器５９は、受信した信号を増幅する。検波器６０は、中間周波増幅器５９によって増幅された信号を復調して出力する。積分器６１は、中間周波増幅器５９によって増幅される前の入力信号が入力されるとともに、検波器６０から出力された出力信号が入力される。そして、ＡＧＣ回路７０は、復調した信号の出力レベルが基準値以上であるときは、中間周波増幅器５９によって増幅される前の信号レベルに応じて中間周波増幅器５９の増幅度を変更する自動利得制御を行う。この自動利得制御が行われることで、検波器６０から出力される出力信号の出力レベルは、受信した信号レベルが大きいときはそれに応じて大きくなり、信号レベルが小さいときはそれに応じて小さくなり、これによって通信の遠近感が擬似的に表現されている。
【００４８】
これにより、出力レベルが過剰に大きくなることを抑制しつつ、出力レベルが基準値以上のときでも、送信機から受信機までの距離に応じて減衰する信号レベルの強弱に応じた出力信号を得ることができる。従って、送信機から受信機までの距離が長い場合には出力される音声が小さくなり、逆に距離が短い場合には音声が大きくなるので、ユーザは、送信機から受信機までのおおよその距離を聴覚により直感的に把握することができる。また、信号レベルが距離によって減衰する特性を利用しているので、送信機側に特別な構成を付加する必要もなく、ＡＧＣ回路７０だけの簡素な構成で音声通信における遠近感を表現できる。更に、例えば、船舶間の通信等において、送信機から受信機までの距離が変化することによって生じる信号レベルの変化をローパスフィルタとしての積分器６１によって精度良く取り出すことができるので、現実の送信機から受信機までの距離を音量に反映することができる。
【００４９】
また、本実施形態のＤＳＢ送受信機１において、積分器６１は、中間周波増幅器５９によって増幅される前の前記入力信号と、検波器６０から出力された前記出力信号と、に基づいて増幅度を変更する利得制御信号を中間周波増幅器５９に送信する。
【００５０】
これにより、積分器６１によって生成される制御信号によって中間周波増幅器５９が制御されることになり、基準値以上であっても、入力信号に応じて出力信号のレベルが変化するＡＧＣ回路７０の簡素な構成を実現できる。
【００５１】
また、本実施形態のＤＳＢ送受信機１においては、ＡＧＣ回路７０はＤＳＰ回路９０として構成されている。
【００５２】
これにより、受信した信号レベルに応じたレベルの信号を出力する処理を、デジタル信号処理によって簡素かつ容易に実現することができる。
【００５３】
また、上記実施形態のＡＧＣ回路７０は、積分器６１が、中間周波増幅器５９に入力される前の信号と検波器６０から出力される信号とに基づいて利得制御信号を直接的に生成する構成であるが、この構成は適宜変更することができる。次に、ＤＳＢ送受信機１の外部に取り付けられる外部センサの検出値に基づいて、中間周波増幅器５９を制御する変形例について説明する。なお、以下に示す変形例において上記実施形態と同一及び類似する構成には、図面に同一の符号を付して説明を省略する場合がある。
【００５４】
図５を参照して変形例のＡＧＣ回路１７０について説明する。図５は、ＡＧＣ回路１７０の構成を概略的に示したブロック図である。なお、ＡＧＣ回路１７０以外の構成については上記実施形態と同様であるので説明を省略する。
【００５５】
図５に示すように、変形例の積分器６１には、外部センサ（環境検出部）としてのマイク１１４が接続されている。マイク１１４は雑音を検出するためのものであり、ＤＳＢ送受信機１の周囲の音を集音可能に構成されている。マイク１１４が検出した音は、適宜の信号に変換された後、積分器６１に入力される。積分器６１は、この検出信号を反映するように中間周波増幅器５９を制御する。より具体的には、出力音声に音割れが発生しない範囲で、マイク１１４が検出する音量（雑音）が大きくなればなるほど出力音声が大きくなるように中間周波増幅器５９を制御する。この結果、ＤＳＢ送受信機１が雑音の大きい環境で使用される場合には、ＡＧＣ回路１７０によって音量が大きくなるように自動的に制御されることになる。なお、マイク１１４は、上記実施形態で説明した図１及び図２のマイク１４を利用してもよいし、集音マイクを別途設ける構成としてもよい。
【００５６】
以上に示したように、変形例のＤＳＢ送受信機１は、当該ＤＳＢ送受信機１が使用されている雑音（環境）の変化を検出し、積分器６１にその検出信号を送信可能に構成されるマイク１１４を備える。積分器６１は、マイク１１４の検出信号に応じた制御信号を中間周波増幅器５９に送信する。
【００５７】
これにより、ＤＳＢ送受信機１の環境に応じた出力音声を出力することができる。本実施形態では、雑音が大きく、音声が聞こえにくい状況をマイク１１４が検出すると、その検出信号に基づいて出力音声が大きくなるように中間周波増幅器５９が自動的に制御される。従って、雑音にかき消されて音声が聞き取れなくなることを効果的に抑制できる。
【００５８】
また、上記変形例は更に以下のように変更することができる。図６を参照してこの変形例について説明する。図６（ａ）は、変形例のＡＧＣ回路２７０の構成を概略的に示したブロック図である。図６（ｂ）は、信号の入力レベルと出力レベルの関係を概念的に示すグラフである。
【００５９】
図６（ａ）に示すように、環境検出部としてのマイク１１４が制御部２１９に接続されており、この制御部２１９は、積分器６１に補正信号を送信することで、入力レベルに対して所定の増加率（傾き）で出力レベルが上昇するように中間周波増幅器５９の増幅度を制御可能に構成されている。また、制御部２１９は図略の記憶部を有しており、この記憶部には、値の異なる増加率（１次関数の傾きの値）が、マイク１１４の検出信号のレベルに応じてテーブル形式で複数記憶されている。そして、この変形例の制御部２１９は、マイク１１４からの検出信号に基づいて、複数の傾きの中から１つを選択して、出力レベルがその傾きの１次関数に従うように積分器６１に補正信号を送信する。より具体的には、ＡＧＣ回路２７０は、図６（ｂ）に示すように、雑音が小さいときは、緩やかな（小さい）傾きを選択して、出力レベルが比較的小さくなるように中間周波増幅器５９の増幅度を制御する。逆に、雑音が大きいときは、大きい傾きを選択して、出力レベルが比較的大きくなるように中間周波増幅器５９の増幅度を制御する。
【００６０】
以上に示したように、変形例のＤＳＢ送受信機１は、以下のように構成される。ＤＳＢ送受信機１は、当該ＤＳＢ送受信機１が使用されている雑音の変化を検出するマイク１１４を備える。出力レベルが基準値以上であるときは、ＡＧＣ回路２７０は、信号レベルと出力レベルが単調増加関数の関係を有するように中間周波増幅器５９を制御する。前記単調増加関数は、予め記憶された複数の関数（傾きの異なる１次関数）の中からマイク１１４の検出信号に基づいて選択される。
【００６１】
これにより、マイク１１４からの検出信号に応じて選択された関数によって中間周波増幅器５９の増幅度が設定されるので、ＤＳＢ送受信機１が使用される環境に応じて好適な音声を自動的に出力することができる。本実施形態では、マイク１１４が所定以上の音量を検知すると入出力特性が図６（ｂ）のグラフの上側の直線となるように切り替わるので、出力音声が自動的に大きくなるように制御される。この結果、雑音にかき消されて音声が聞き取りにくくなる事態の発生を抑制できる。
【００６２】
また、本実施形態のＤＳＢ送受信機１においては、前記単調増加関数は１次関数であり、この１次関数の傾きの値は、予め記憶された複数の傾きの値の中からマイク１１４の検出信号に基づいて選択される。
【００６３】
これにより、信号レベルの大きさに応じて出力音声が１次関数に従って徐々に変化するので、距離に応じた遠近感を違和感なく再現できる。また、マイク１１４からの検出信号に応じて傾きの値が選択されるので、ＤＳＢ送受信機１が使用される環境に応じた出力音声が自動的に出力されることになる。
【００６４】
更に、外部センサ（環境検出部）としては、上記変形例で説明したマイク１１４以外にも様々なものを採用することができる。例えば、ＤＳＢ送受信機１に接続されるＧＰＳ、ジャイロ及びレーダ等の外部端末からの検出信号に基づいて中間周波増幅器５９を制御する構成とすることが考えられる。
【００６５】
例えば、環境検出部としてＧＰＳやジャイロを採用する場合は、ＧＰＳやジャイロによって船舶の動揺を検知し、船舶の激しい動揺を検出したときは、出力音声が大きくなるように制御することができる。これによって、船舶が動揺することによって、船体にぶつかる波の衝撃音等でスピーカ１６からの音声が聞こえにくい状況になると、出力音声が大きくなるように自動的に制御されることになる。また、環境検出部としてレーダを採用する場合は、降雨等の天候の悪化を検出した場合に、出力音声が大きくなるように制御することができる。これによって、雨音によって音声が聞き取りにくい状況でも自動的に音声を大きく出力させることができる。
【００６６】
以上に本発明の実施形態を説明したが、上記の構成は更に以下のように変更することができる。
【００６７】
上記実施形態の受信部２１はダブルスーパーへテロダイン方式を採用しているが、受信部２１の構成は適宜変更することができる。例えば、局部発振器及び周波数混合器がそれぞれ１つで構成されるシングルスーパーへテロダイン方式や、３段階で中間周波を生成するトリプルスーパーへテロダイン方式等に変更することができる。
【００６８】
また、前記ＡＧＣ回路が、信号レベルの強弱に応じた大きさの信号を出力するモードと、信号レベルの強弱にかかわらず一定の大きさの信号を出力するモードと、を有し、２つのモードを適宜の操作で切替可能な構成に変更することもできる。
【００６９】
また、ユーザが信号レベルに応じて出力される出力レベルの増加率を設定可能に構成することもできる。例えば、ＤＳＢ送受信機１が備える操作部１２を操作して出力レベルの入力レベルに対する増加率（図４に示す１次関数の傾きの値）を設定できるように、ＤＳＢ送受信機１を構成することもできる。
【００７０】
また、上記実施形態の制御部１９（制御部２１９）は、信号レベルと出力レベルが１次関数の関係を有するように中間周波増幅器５９の増幅度を制御しているが、信号レベルと出力レベルの関係は１次関数に限定されるわけではなく、単調増加関数であれば適宜のものを採用できる。また、種類の異なる複数の関数（例えば、１次関数と指数関数等）を制御部に記憶させておき、環境に応じて適宜の関数を選択するようにＤＳＢ送受信機１を構成することもできる。
【００７１】
上記の実施形態のＤＳＢ送受信機１から送信部２０を省略し、ＤＳＢ受信機として構成することもできる。
【００７２】
上記実施形態の構成はＤＳＢを用いた無線通信機に限定されず、例えば単側波帯（Ｓｉｎｇｌｅ  Ｓｉｄｅ  Ｂａｎｄ、ＳＳＢ）を用いる構成等、各種の無線通信機に適用することができる。
【符号の説明】
【００７３】
１  ＤＳＢ送受信機（無線通信機）
５９  中間周波増幅器（利得増幅器）
６０  検波器
６１  積分器（ローパスフィルタ）
７０  ＡＧＣ回路
９０  ＤＳＰ回路
【図１】
2010178218.tif 000003
【図２】
2010178218.tif 000004
【図３】
2010178218.tif 000005
【図４】
2010178218.tif 000006
【図５】
2010178218.tif 000007
【図６】
2010178218.tif 000008